(57)【特許請求の範囲】
【請求項１】
用紙の色等の用紙特性や画像の色等の画像特性及び用紙特性又は画像特性が同一である前記用紙が連続する１グループの枚数などが手書きされると共に用紙や画像の特性が異なったグループを識別するための複数のグループ番号が印刷されたシートの画像及び前記シートに重ねてセットされた用紙に記録された画像を読取る画像入力手段と、この画像入力手段から入力された画像情報を格納する入力画像データ記憶手段と、この入力画像データ記憶手段に格納された入力画像情報がシート画像か否かを判定するシート判定手段と、シート画像情報から用紙特性や画像特性などの情報を読取るためのシートフォーマットデータを記憶したシートフォーマット記憶手段と、前記シート判定手段がシート画像を判定したとき、前記シートフォーマット記憶手段に記憶されているシートフォーマットデータに基づいて前記入力画像データ記憶手段に格納されているシート画像情報から用紙特性や画像特性などの情報を前記グループごとに認識するシート認識手段と、このシート認識手段が前記グループごとに認識した用紙特性や画像特性などの情報を認識結果として格納するシート認識結果記憶手段と、用紙特性や画像特性などに基づいて画像形成時に必要な制御情報を決定する制御知識データを記憶した制御知識記憶手段と、前記シート認識結果記憶手段に格納された認識結果情報を前記制御知識記憶手段に記憶されている制御知識データに基づいて前記シートに重ねてセットされた用紙に記録された画像を前記画像入力手段で読取るときに前記グループごとに繰り返して画像形成のための制御情報を決定し画像形成制御を実行する制御手段とを具備したことを特徴とする画像形成装置。
【発明の詳細な説明】
【０００１】
【産業上の利用分野】
本発明は、入力される書類の用紙特性を画像入力によって識別する識別手段を有する画像形成装置に関する。
【０００２】
【従来の技術】
従来、この種の画像形成装置においては、入力用紙の色、用紙サイズ等や入力用紙に記録された画像の色等を所定フォーマットに従って手書きしたシートを入力画像データとして入力し、入力用紙の用紙情報に合わせた設定を行っていた。
【０００３】
このような画像形成装置としては、特開平４−４７７５４号公報が知られている。この画像形成装置は、読取り濃度、用紙サイズ等や読取り色等を設定する各種操作ボタンをシート上に表現し、操作ボタンを押す操作の代わりに、シート上のマークを塗り潰す操作を行うものである。
【０００４】
この画像形成装置は、シートに手書きで書き込まれたマークを読取り、操作ボタンを押されたときと同様の処理を自動的に行う。これにより、画像形成装置のボタン数を減少させ、装置自体の軽量化、作業者の負担、依頼者の希望どうりの正確な作業が可能である。
【０００５】
【発明が解決しようとする課題】
しかし、このような画像形成装置においては、シート上に操作ボタンをそのまま表現しているため、このシートにマークによる設定を行うときには、入力用紙やこの入力用紙に記録された画像に適した設定方法を知らなければならないという問題があった。
【０００６】
そこで本発明は、入力用紙の特性や画像の特性を所定のシートに記載するだけで、入力用紙や画像に適した細部の設定を自動的に行うことができ、操作性の優れた画像形成装置を提供しようとするものである。
【０００７】
【課題を解決するための手段】
本発明は、用紙の色等の用紙特性や画像の色等の画像特性及び用紙特性又は画像特性が同一である用紙が連続する１グループの枚数などが手書きされると共に用紙や画像の特性が異なったグループを識別するための複数のグループ番号が印刷されたシートの画像及びシートに重ねてセットされた用紙に記録された画像を読取る画像入力手段と、この画像入力手段から入力された画像情報を格納する入力画像データ記憶手段と、この入力画像データ記憶手段に格納された入力画像情報がシート画像か否かを判定するシート判定手段と、シート画像情報から用紙特性や画像特性などの情報を読取るためのシートフォーマットデータを記憶したシートフォーマット記憶手段と、シート判定手段がシート画像を判定したとき、シートフォーマット記憶手段に記憶されているシートフォーマットデータに基づいて入力画像データ記憶手段に格納されているシート画像情報から用紙特性や画像特性などの情報をグループごとに認識するシート認識手段と、このシート認識手段がグループごとに認識した用紙特性や画像特性などの情報を認識結果として格納するシート認識結果記憶手段と、用紙特性や画像特性などに基づいて画像形成時に必要な制御情報を決定する制御知識データを記憶した制御知識記憶手段と、シート認識結果記憶手段に格納された認識結果情報を制御知識記憶手段に記憶されている制御知識データに基づいてシートに重ねてセットされた用紙に記録された画像を画像入力手段で読取るときにグループごとに繰り返して画像形成のための制御情報を決定し画像形成制御を実行する制御手段とを設けたものである。
【０００８】
【作用】
このような構成の本発明においては、用紙の色等の用紙特性や画像の色等の画像特性などが手書きされると共に用紙や画像の特性が異なったグループを識別するための複数のグループ番号が印刷されたシートを入力手段から読取り、この入力された画像情報を入力画像データ記憶手段に格納する。そして、判定手段によりこの入力画像情報がシートのものであるかどうかを判定し、シートのものであると判定した場合には、シート認識手段によりシートフォーマットデータに基づいてシート画像情報から用紙特性や画像特性などの情報をグループごとに読取り認識する。このグループごとの認識結果をシート認識結果記憶手段に記憶する。次に、制御手段によりこの認識結果情報を制御知識記憶手段に記憶されている制御知識データに基づいてグループごとに繰り返して画像形成のための制御情報を決定し画像形成制御を実行する。
【０００９】
【実施例】
以下、本発明の実施例を図面を参照して説明する。
【００１０】
図１は本発明にかかる画像形成装置１の主要部の構成を示すブロック図で、画像形成装置１は、パ−ソナルコンピュ−タ（ＰＣ）やワークステーション（ＷＳ）などで構成される装置本体２と、この装置本体２の外部に設けられた外部入力装置３とから構成されている。そして、これら装置本体２と外部入力装置３とは通信回線４を介して相互に接続されている。
【００１１】
前記装置本体２には、その制御部本体を構成するＣＰＵ（中央処理装置）５、このＣＰＵ５によって制御されるメインメモリ６、画像メモリ７、画像認識部８が設けられている。
【００１２】
また、前記装置本体２には、インタフェース９および前記外部入力装置３に接続するための通信インタフェース１０が設けられている。そして、前記メインメモリ６、画像メモリ７、画像認識部８、インタフェース９、および通信インタフェース１０と、ＣＰＵ５とはアドレスバス、データバス、制御バス等のバスライン１１を介して相互に接続されている。さらに、前記インタフェース９には、ハードディスク（ＨＤＤ）１２およびスキャナ１３が接続されている。
【００１３】
前記外部入力装置３は装置本体２の画像メモリ１４および前記通信回線４に接続するための通信インタフェース１５が設けられている。この外部入力装置３は遠隔地に設置されており、通信インタフェース１５および通信回線４を介して装置本体２に、入力画像データ等を送信するようになっている。
【００１４】
このような画像形成装置の主要部は、図２に示すような機能部、すなわち入力部２１、入力画像記憶部２２、シート判定部２３、シート認識部２４、シート認識結果記憶部２５、制御部２６、シートフォーマット記憶部２７、制御知識記憶部２８として機能する。
【００１５】
具体的には、前記スキャナ１３は入力部２１としての機能を有し、前記メインメモリ６は入力画像記憶部２２およびシート認識結果記憶部２５としての機能を有する。また、ＣＰＵ５はシート判定部２３、シート認識部２４および制御部２６としての機能を有し、前記ハードディスク１２はシートフォーマット記憶部２７および制御知識記憶部２８としての機能を有する。
【００１６】
前記入力部２１は、複数の入力用紙（書類）３０の先頭に添付された後述の特性シート（図３および図４参照）３１を読取り、入力画像データとして入力画像記憶部２２に格納するようになっている。
【００１７】
次に、シート判定部２３は、前記入力画像記憶部２２に格納された入力画像データが特性シート３１のものであるかどうかを判定する。そして、特性シート３１のものであると判定した場合には、前記シート認識部２４による処理が行われる。
【００１８】
すなわち、前記シート認識部２４は、前記シートフォーマット記憶部２７に予め格納されたシートフォーマットデータ５１（図５参照）に基づいて特性シート３１に手書きされた用紙特性を認識し、その結果を後述のシート認識結果６５（図６参照）としてシート認識結果記憶部２５に格納する。
【００１９】
続いて、前記制御部２６は、上述のシート認識結果記憶部２５に格納されたシート認識結果６５に基づいて、画像形成時に必要な細かい設定が行われる。すなわち、制御知識記憶部２８には特性シート３１に手書きされた用紙特性に基づいて、この用紙特性よりさらに細かい具体的な実行手段である実行プログラムを決定する知識データ（図８ないし図１０）が格納されている。そして制御部２６は、読込み設定を行うときに、前記特性シート３１のシート認識結果６５および前記知識データに基づいて実行プログラムが決定され、入力用紙３０の画像形成時に入力用紙３０に応じた制御動作を実行する。
【００２０】
一方、シート判定部２３によって前記入力画像データは特性シート３１のものでないと判定された場合には、通常の処理、すなわち出力装置３２に入力画像データを出力するようになっている。
次に、前記特性シート３１について図３および図４を参照しながら説明する。
【００２１】
前記特性シート３１には、複数の入力用紙３０（書類）の用紙特性（たとえば用紙色が白か黄色かなど）やこれら入力用紙３０に記録された画像の画像特性（たとえばカラー画像か白黒画像か、文字か写真かなど）を手書きにより記入するための所定フォーマットが印刷されている。
【００２２】
前記特性シート３１の所定フォーマットは、例えば図３に示すように、用紙特性や画像特性（以下用紙特性等という。）を手書きにより記入するための特性表４６と、特性シート３１であることを識別するためのシート識別マーク４８と、所定の識別シート３１であることを識別するための識別ナンバー４７とが予め印刷されている。
【００２３】
前記特性表４６は、入力用紙の用紙特性等、たとえば色３５、階調３６、用紙色３７、枚数３８の項目と、これら用紙特性等を手書きで記入するための枠部４２，４３，４４，４５とを有する。
【００２４】
前記特性表４６の列には各項目（色３５、階調３６、用紙色３７、枚数３８）が印刷され、各行の先頭にはグループ番号４９（１〜９）が印刷されている。このグループ番号４９は１行で示された用紙特性等を１グループとして、各グループを識別するためのものである。このグループ番号４９は、入力用紙３０が複数の場合に、同一特性を有するグループごとにそれぞれ異なった用紙特性等が記入するために設けられている。
【００２５】
前記特性表４６の色３５の項目には、入力用紙３０に描かれた画像の色が白黒であるかまたはカラーであるかを指定する一対の枠部４２が印刷されている。この色４２の項目は、一方の枠部４２を塗り潰して指定するようになっている。
【００２６】
前記特性表４６の階調３６の項目には、入力用紙３０に描かれた画像が２色を必要とする文字であるかまたは中間色を必要とする写真であるかを指定する一対の枠部４３が印刷されている。この階調３６の項目は、前記色３５の指定と同様に一方の枠部４３を塗り潰して指定するようになっている。
【００２７】
前記特性表４６の用紙色３７の項目には、入力用紙３０そのものの色が白であるかまたは黄色であるかを指定する一対の枠部４４が印刷されている。用紙色３７の項目は、前記色３５の項目の指定と同様に一方の枠部４４を塗り潰して指定するようになっている。
【００２８】
前記特性表４６の枚数３８の項目には、２桁の数字を一文字ずつ記載するための一対の枠部４５が印刷されている。この枚数３８の項目は、上述した用紙特性等のうち色３５、階調３６、用紙色３７の各項目が同一特性の入力用紙３０が連続する場合に、これらの枚数を指定するために設けられている。
【００２９】
また、前記特性シート３１の特性表４６の上隅には、この特性シート３１の種類を識別するための識別ナンバー４７が印刷されている。さらに、特性シート３１には、その上隅に特性シート３１の位置決めを行うための一対の位置修正マーク４８が印刷されている。
【００３０】
前記特性シート３１は、図４に示すように、画像形成時においては、入力用紙３０の先頭に添付し入力用紙３０と重ねて、これら特性シート３１および入力用紙３０を前記入力部２１に設置する。
【００３１】
前記特性シート３１に記載された入力用紙３０の用紙特性等は、前記シートフォーマットデータ記憶部２７に格納されたシートフォーマットデータ５１（図５参照）に基づいて前記シート認識部２４によって認識される。このシートフォーマットデータ５１は、例えば図５に示すように、グループ番号５２、特性５３、認識方法５４、枠数５５、枠番号５６、認識領域５７、認識値５８の各項目から構成されている。
【００３２】
前記グループ番号５２の項目には、特性シート３１の全項目（色３５、階調３６、用紙色３７、枚数３８）を１グループとして、各グループを識別するために割当てられる識別番号が記述されている。このグループ番号５２は、特性シート３１の特性表４６のグループ番号４９に対応している。
【００３３】
前記特性５３の項目には、各グループに含まれる入力用紙３０の特性の種類が記述されている。この特性の種類は、特性シート３１の特性表４６の特性（色３５、階調３６、用紙色３７、枚数３８）の各項目に対応している。
前記認識方法５４の項目には、マークシートによる認識方法であるかまたは文字読取による認識方法であるかが記述されている。
【００３４】
前記枠数５５の項目は各特性（色３５、階調３６、用紙色３７、枚数３８）で認識すべき領域を座標値として記述されている。また、前記枠番号５６の項目には、各特性の後述の認識領域５７に対応する番号が記述されている。例えば、原点から座標（５０，５０）の位置にある（５，１０）の大きさの領域、すなわち特性シートの色項目の一方の枠部（白黒）を枠番号１とすることを示している。前記認識領域５７の項目には、認識処理すべきシート上の領域を、特性シートの左上を原点とした場合の原点からの座標で記述されている。
【００３５】
前記認識値５８の項目には、認識された値を必要な認識値５８に変換する変換式が記述されている。例えば、特性のうち色３５、階調３６、用紙色３７については、マーク読取りによる二者択一式であるため、枠番号をそのものを認識値５８とする。
【００３６】
例えば、この場合には、原点から座標（５０，５０）の位置にある（５，１０）の大きさの領域、すなわち特性シートの色３５の一方の枠部（白黒）と、原点に対する座標（９０，５０）の位置にある（５，１０）の大きさの領域、すなわち特性シートの色３５の他方の枠部（カラー）とがマークシートとして認識される。そして、この認識された枠部に割当てられた枠番号を認識値５８とするようになっている。
【００３７】
また、特性５３のうち枚数については、原点から座標（２７０，５０）の位置にある（１０，１０）の大きさの領域、すなわち特性シート３１の枚数３８の一方の枠部４５（十の位）を枠番号１とする。そして、原点に対する座標（２８０，５０）の位置にある（１０，１０）の大きさの領域、すなわち特性シート３１の枚数３８の他方の枠部４５（１の位）を枠番号２とする。
【００３８】
これら枠番号１，２にかかれた数字をＯＣＲ（光学的文字読取り装置）で認識し、枠番号１にかかれた数字を１０倍したものに枠番号２にかかれた数字を加えたものを認識値６３とするようになっている。
【００３９】
前記シート判定部２３およびシート認識部２４は、上述したシートフォーマットデータ５１に基づいて、図７に示す特性シート３１の判定および認識処理を行うようになっている。すなわち、シート判定部２３は、先ずＳＴ１にて入力画像記憶部２２に格納された入力画像データを読み込む。
【００４０】
続いて、ＳＴ２にて前記入力画像データにつき、特性シート３１の位置修正マーク４８があるかどうかを判断する。そして、位置修正マーク４８があると判断された場合には、ＳＴ３にて位置修正マーク４８の位置や傾きから特性シート３１の位置および傾きのずれを検出し、前記入力画像データを修正して、この入力画像データの領域を確定する。
【００４１】
次に、前記シート判定部２３は、ＳＴ４にてシート番号４７があるか否か判断し、シート番号４７があると判断された場合には、そのシート番号４７をＯＣＲ等により認識し、そのシート番号４７を前記シート認識部２４に渡すようになっている。
【００４２】
前記シート認識部２４は、ＳＴ５にてシート判定部２３から受取ったシート番号４７に対応するシートフォーマットデータ５１が前記シートフォーマットデータ記憶部２７に格納されているかどうかを確認する。そして、シートフォーマットデータ５１が格納されていると確認された場合には、そのシートフォーマットデータ５１を読み出し、このシートフォーマットデータ５１に基づいて、各部品の認識処理を行う（ＳＴ７）。すなわち、前記特性シート３１の各項目（色３５、階調３６、用紙色３７、枚数３８）に記載されたマークまたは数字を認識して、認識値５８を導出する。
【００４３】
前記シート認識部２４は、導出された認識値５８をシート認識結果６５として前記シート認識結果記憶部２２に格納する（ＳＴ８）。このシート認識結果６５は図６に示すように、グループ番号６６、特性６７、認識値６８の各項目から構成されている。このグループ番号６６、特性６７、認識値６８は、シートフォーマットデータ５１のグループ番号５２、特性５３、認識値５８にそれぞれ対応している。
【００４４】
なお、ＳＴ２にて位置修正マーク４８がなかった場合、ＳＴ４にてシート番号４７がなかった場合、およびＳＴ５にてシートフォーマットデータ５１が確認されなかった場合には、通常の処理、すなわち入力画像データを出力装置３２に出力する。
【００４５】
前記制御部２６においては、前記シート判定部２３およびシート認識部２４において判定、認識された特性シート３１のシート認識結果６５から図１１に示す処理にしたがって後述の制御知識データを決定し、制御動作を実行するようになっている。
【００４６】
前記制御知識データは前記制御知識記憶部２８に予め格納されている。この制御知識データは、図８ないし図１０に示すように、特性コードデータ６１と、制御コードデータ７１と、ルール記述データ８１とから構成されている。
【００４７】
前記特性コードデータ６１は、特性６２、認識値６３、および特性コード６４の項目から構成されている。そして、この特性コードデータ６１には、前記特性６２を前記シート認識部２４によって導出された認識値に対応する特性コード６４が記述されている。
【００４８】
例えば、特性６２のうち色の認識値が１の場合は、特性コード0x0001に対応することを示している。また、特性６２のうち枚数については、認識値に影響されず常に特性コード0x0040に対応することを示している。
【００４９】
前記制御コードデータ７１には、実際に制御を行うための実行プログラムに対応する制御コードが記述されている。この制御コードデータ７１は、制御種類７２、順位７３、制御コード７４、および実行プログラム７５の項目から構成される。
【００５０】
前記制御種類７２の項目には、前記特性コードデータ６１の特性６２に基づく細部の設定事項が記述されている。また、前記順位項目７３には、実行する制御種類７２の順位が降順に記述されている。
【００５１】
前記制御コード７４の項目には、前記制御種類７２を識別するために割当てられた制御コード７４が記述されている。また、前記実行プログラム７５の項目には実際に制御を実行する実行プログラム７５のコマンド名７５ａとその引数７５ｂの値が記述されている。
【００５２】
前記引数７５ｂの値はコマンド名７５ａの隣にカッコ書きで示されている。すなわち、制御種類７２が入力用紙３０を赤で読取る制御の場合には、制御コードが0x0001であり、実行プログラム７５はＳＣＡＮで、その引数７５ｂはＲＥＤであることを示している。
【００５３】
また、前記引数７５ｂの値が変数の場合には、＊印で示し、その隣には引数７５ｂを示している。すなわち、例えば制御種類７２が枚数を設定する制御の場合には、制御コードが0x0100であり、実行プログラム７５はＳＥＴ＿ＰＩＥＣＥで、その引数７５ｂの種類は変数で、引数７５ｂの値は前記シート認識部２４によって導出された認識値６３とすることを示している。
【００５４】
前記ルール記述データ８１には、前記特性コードデータ６１を制御コードデータ７１に対応付けてを制御ルールが記述されている。このルール記述データは“if  特性コード  then  制御コード”の形式で記述されている。すなわち、“if特性コード”は条件部８２を示し、“then  制御コード”は実行部８３を示している。この制御ルールは特性コード６４が条件部８２を満たしたときに、実行部８３の制御を実行することを示すものである。
【００５５】
例えば、特性コード６４が0x0001（色の特性の認識値が１のとき）であれば、制御コード0x0002に対応する制御動作、すなわち入力用紙３０を緑で読取る制御を実行することを示している。
【００５６】
前記制御部２６は、上述の制御知識データに基づいて、図１１に示す制御動作を行うようになっている。すなわち、制御部２６は、ＳＴ１１にて前記制御知識記憶部２８から前記制御知識データ（特性コードデータ６１、制御コードデータ７１、ルール記述データ８１）を読込む。
【００５７】
また、ＳＴ１２にてシート認識結果記憶部２５からシート認識結果６５を読込む。このとき、制御部２６はすべてのグループについて、シート認識結果６５をグループごとに読込む。
【００５８】
次に、前記制御部２６は、ＳＴ１３にて特性コードデータ６１に基づいて、シート認識結果６５の認識値６８に対応する特性コード６４を決定する。そして、ＳＴ１４にてルール記述データ８１に基づいて、この特性コード６４の条件部８２に適合した制御コード７４を決定し、ＳＴ１５にて制御コードデータ６１に基づいてこの制御コード７４に対応する実行プログラム７５を決定する。
【００５９】
そして、前記制御部２６は、ＳＴ１６にて先ず最初のグループにおいて前記実行プログラム７５の引数７５ｂの受渡しを行う。このとき前記実行プログラム７５の引数７５ｂが変数の場合には、例えば枚数３８の特性においては、引数７５ｂとして指定する認識値６２（図８に示す制御コードデータを参照）を引数７５ｂへと受渡す。前記制御部２６は、ＳＴ１７にてこれら引数７５ｂを前記実行プログラム７５ａとともに実行プログラムデータ９１（図１２参照）として前記メインメモリ６に一時的に格納する。
【００６０】
前記実行プログラムデータ９１は、図１２に示すように、順位９２および実行データ９３の項目から構成されている。この順位９２は、前記制御コードデータ７１の順位７３に対応しており、格納される時には図１２（ａ）に示すように引数７５ｂが決定される順に記述されているが、後述のソートの実行により、図１２（ｂ）に示すように、降順に記述される。前記実行データ９３は、決定した実行プログラム７５において引数７５ｂを確定したものである。
【００６１】
続いて、前記制御部２６は、ＳＴ１８にて、これら最初のグループにおける実行データ９３にソートを実行し、これらの実行データ９３を降順に並べ換える。すなわち、これらの実行データ９３を実行する順に並び換える。
そして、ＳＴ１９にてソート後の実行プログラムデータ９１に基づいて、この実行プログラムを起動し、制御動作を行う。
【００６２】
こうして、１グループ分の制御動作を終了すると、前記メインメモリ６から実行プログラムデータ９１を消去する。以下、前記制御部２６は同様の処理をグループごとに繰り返して制御動作を行う。すなわち、特性シート３１に重ねられた複数の入力用紙３０（書類）の処理を制御する。
【００６３】
このような構成の本実施例においては、先ず入力用紙３０の用紙特性等を特性シート３１に記載する。例えば図３に示す特性シート３１を使用した場合、グループ内の各項目が、色３５は白黒、階調３６は文字、用紙色３７は白、枚数３８は１０枚であるとすると、これら色３５、階調３６、用紙色３７の項目は、それぞれ対応する枠部４２，４３，４４を塗り潰して記入する。一方枚数３８の項目には左右の枠部４５に、それぞれ１、０の数字を記入する。
【００６４】
こうして記入した特性シート３１を一番上にして、特性シート３１および複数の入力用紙３０（書類）を重ねる。そして、これら特性シート３１および入力用紙３０を入力部２１にセットすると、先ず特性シート３１が読取られる。入力部２１から読取られた特性シート３１は入力画像データとして入力画像記憶部２２に格納される。
【００６５】
次に、シート判定部２３により入力画像記憶部２２から入力画像データが読み出され、この入力画像データが特性シート３１のものであれば、シート認識部２４によりシートフォーマット記憶部２７のシートフォーマットデータ５１に基づいて、特性シート３１の特性３０が認識値６３として認識される。例えば、上述の特性シート３１において、色３５（白黒）、階調３６（文字）、用紙色３７（白）についてはマークシートとして塗り潰された各枠部４２，４３，４４が検出される。そして認識値はそれぞれ１，１，１と認識される。また、枚数（１０）については枠部４５がＯＣＲで読取られる。そして、認識値は１０と認識される。この認識結果はシート認識結果記憶部２５にシート認識結果６５として格納される。
【００６６】
続いて、制御部２６によって、この認識結果の認識値６３に対応する認識コード６４が特性コードデータ６１に基づいて決定され、この認識コード６４に対応する実行プログラム７５が制御コードデータ７１およびルール記述データ８１に基づいて決定される。そして、この実行プログラム７５は実行順にソートされる。
【００６７】
このように、３つのテーブル（特性コードデータ６１、制御コードデータ７１、ルール記述データ８１）に分離して制御知識データを表現することにより、各テーブルすべてを変更することなく、必要なテーブルだけ変更すればよいことから、制御知識データ自体の変更が容易で、これらの変更に対し柔軟に対応できる。
【００６８】
例えば、シートフォーマットデータ５１を変更する場合には、ルール記述データ８１を変更することなく、特性コードデータ６１を変更するだけでよい。また、入力部２１の仕様が変更になった場合には、制御コードデータ６１を変更するだけでよい。さらにまた、入力用紙３０についての制御を変更する場合には、認識値や実行プログラム自体を変更することなく、ルール記述データ８１を変更するだけでよい。
そして、複数の入力用紙３０は実行プログラム７５に基づいて特性シート３１のグループごとに処理される。
【００６９】
一方、シート判定部２３によって入力部２１で読込まれた入力画像データは特性シート３１のものでないとされた場合には、通常の処理、すなわち外部機器装置３２にその入力画像データが出力される。
【００７０】
このように、入力特性３０の用紙特性等を特性シート３１に記入するという簡易作業で装置の読取り設定を行うようにしたことから、装置の設定スイッチの操作方法を知らなくても、入力用紙３０に適した読み取り設定を容易に行うことができ、操作者の負担を軽減できる。
【００７１】
また、特性シート３１の入力により装置の読取り設定を行うため、操作仕様の異なる装置でも、同一シート、同一記入方法で、入力用紙３０に適した読み取り設定を容易に行うことができ、操作者の負担を軽減できる。
【００７２】
さらにまた、特性シート３１を複数の入力用紙３０を同一特性のグループごとに設定できるようにしたことから、これら特性シート３１および入力用紙３０を自動的に給紙し、入力する場合には、入力用紙３０の特性が変わる度に装置の読取り設定を行う必要がなく、グループごとのバッチ処理による処理能率を向上することができる。
【００７３】
なお、本発明においては、装置本体２に設けられた入力部２１から特性シート３１等を入力するものについて述べたが、必ずしもこれに限定されるものではなく、装置本体２と別個に設けられた外部入力装置３から特性シート３１等を入力し通信回線４を介して装置本体に画像データとして送信してもよい。
【００７４】
【発明の効果】
以上詳述したように本発明によれば、装置の設定スイッチの操作方法を知らなくても入力用紙に適した読み取り設定を容易に行うことができ、また操作仕様の異なる装置でも、同一シート、同一記入方法で、入力用紙に適した読み取り設定を容易に行うことができ、したがって操作者の負担を軽減できる。
また、これら特性シートおよび入力用紙を自動的に給紙し、入力する場合にはグループごとのバッチ処理による処理能率を向上することができる。
【図面の簡単な説明】
【図１】本発明の実施例のシステム構成を示すブロック図。
【図２】同実施例における各部の機能を示すブロック図。
【図３】同実施例における特性シートの構成を示す図。
【図４】同実施例における特性シートおよび入力用紙を示す図。
【図５】同実施例におけるシートフォーマットデータテーブルの構成図。
【図６】同実施例におけるシート認識結果テーブルの構成図。
【図７】同実施例におけるシート判定部およびシート認識部の制御動作を示す図。
【図８】同実施例における特性コードデータテーブルの構成図。
【図９】同実施例における制御コードデータテーブルの構成図。
【図１０】同実施例における制御知識データテーブルの構成図。
【図１１】同実施例における制御部の制御動作を示す図。
【図１２】同実施例における実行プログラムデータテーブルのソート処理の前後を示す図。
【符号の説明】
２１…入力手段、２２…入力画像データ記憶部、２３…シート判定部、
２４…シート認識部、２５…シート認識結果記憶部、２６…制御手段、
２７…シートフォーマット記憶部、２８…制御知識記憶部、
３０…入力用紙、３１…特性シート、５１…シートフォーマットデータ、
６１…特性コードデータ、６５…認識結果データ、
７１…制御コードデータ、８１…ルール記述データ。
【図１】
0003637068.tif 000002
【図２】
0003637068.tif 000003
【図３】
0003637068.tif 000004
【図４】
0003637068.tif 000005
【図５】
0003637068.tif 000006
【図６】
0003637068.tif 000007
【図７】
0003637068.tif 000008
【図８】
0003637068.tif 000009
【図９】
0003637068.tif 000010
【図１０】
0003637068.tif 000011
【図１１】
0003637068.tif 000012
【図１２】
0003637068.tif 000013